(57)【要約】【課題】送出レートが異なるデータ放送番組を切り替える場合であっても、受信機側における番組中断を防止し得るデータ放送ＴＳ送出装置を提供する。【解決手段】切替器１１によるデータ放送ＴＳの番組切替の実行に先立ち、番組情報受信部１３で受信した編成情報から１パケット保障算出部１４及びＤＳＭ−ＣＣセクション保障部１５にて送出対象となる各番組の送出レートごとにＤＳＭ−ＣＣセクションパケットの送出に要する時間を停止時間として求め、ＤＳＭ−ＣＣセクション送出制御部１６にて番組切替タイミング信号を受信した時点から上記求められた停止時間経過後に、次の番組に切り替えるように切替器１１を制御するようにしている。【選択図】      図１
2008078913.tif 000002
【特許請求の範囲】
【請求項１】
互いに送出レートが異なり受信機側でデータ放送番組を受信させるために必要な制御セクションを含むパケット構造となる複数番組のデータ放送ＴＳ（Transport Stream）を、各番組の送出レートに関する編成情報及び番組切替信号に応じて選択的に切り替えて送出するデータ放送ＴＳ送出装置において、
前記複数番組のデータ放送ＴＳを取り込み、前記番組切替信号が入力された時点で番組切替を行う切替手段と、
前記編成情報を受信したとき、当該編成情報から送出対象となる各番組の送出レートごとに前記制御セクションパケットの送出に要する時間を停止時間として求める演算手段と、
前記番組切替信号を受信した場合に、前記演算手段により求められた切替元の番組の送出レートに対応する停止時間が経過した後に、前記番組切替信号を前記切替手段に転送して番組切替を実行させる制御手段とを具備したことを特徴とするデータ放送ＴＳ送出装置。
【請求項２】
前記演算手段は、前記データ放送ＴＳがＭＰＥＧ２（Moving Picture Experts Group 2）に準拠されているとき、当該編成情報から送出対象となる各番組の送出レートごとにＤＳＭ−ＣＣ（Digital Storage Media Command and Control）セクションパケットの送出に要する時間を停止時間として求めることを特徴とする請求項１記載のデータ放送ＴＳ送出装置。
【請求項３】
互いに送出レートが異なり受信機側でデータ放送番組を受信させるために必要な制御セクションを含むパケット構造となる複数番組のデータ放送ＴＳ（Transport Stream）を、各番組の送出レートに関する編成情報及び番組切替信号に応じて選択的に切り替えて送出するデータ放送ＴＳ送出方法において、
前記編成情報を受信したとき、当該編成情報から送出対象となる各番組の送出レートごとに前記制御セクションパケットの送出に要する時間を停止時間として求め、
前記番組切替信号を受信した場合に、切替元の番組の送出レートに対応する停止時間が経過した後に、前記番組切替信号に基づいて前記複数番組のデータ放送ＴＳの番組切替を行なうようにしたことを特徴とするデータ放送ＴＳ送出方法。
【発明の詳細な説明】
【技術分野】
【０００１】
この発明は、例えばデジタルテレビジョン放送の付加サービスとして提供される複数番組のデータ放送のＴＳ（以下、データ放送ＴＳと称する）を選択的に切り替えて送出するためのデータ放送ＴＳ送出装置及びデータ放送ＴＳ送出方法に関する。
【背景技術】
【０００２】
近年、地上波デジタル放送が開始され、この地上波デジタル放送にあってはデータ放送サービスが提供されている。
【０００３】
一般に、データ放送では、番組を構成する複数のコンポーネント（ＥＳ：Elementary stream）をセクションと呼ばれるデータに分割して送出する。コンポーネントは複数のモジュールから構成されており、送出時にはセクションデータに分割されて送出される。天気予報画面を例にとると、画面フレームを構成するＢＭＬ（Broadcast Markup Language）文書、日本地図を示すイメージファイル、天気マークを示すイメージファイル、気温等を示すテキストファイルがコンポーネントを構成するモジュールとなり、送出時にはさらにセクションデータに分割される。
【０００４】
ところで、放送局では、データ放送番組を切り替える際に、受信機でデータ放送ＴＳを受信し復元するために必要なＤＣＭ−ＣＣ（Digital Storage Media Command and Control）セクションのパケットの切れ目を意識することなく寸断し、次の番組のＤＣＭ−ＣＣセクションの送出を開始している。このため、データ放送を受信する受信機において、番組が中断してしまったり、番組切り替えのつなぎ目に一瞬不要な画面が見える、いわゆる「ちら見え」が発生することがある。
【０００５】
そこで、従来では、切替元の番組のＤＣＭ−ＣＣセクションの出力を終了する時刻と、切替先の番組のＤＣＭ−ＣＣセクションの出力を開始する時刻とを予め設定しておくことで、データ放送番組の中断やちら見えを防止する手法も提案されている（例えば、特許文献１）。
【特許文献１】特開２００３−２０４４８２号公報
【発明の開示】
【発明が解決しようとする課題】
【０００６】
しかしながら、上記手法では、例えば送出レートの高い番組から送出レートの低い番組に切り替える場合に、データ放送番組の中断やちら見えを防止することができない。
【０００７】
そこで、この発明の目的は、送出レートが異なるデータ放送番組を切り替える場合であっても、受信機側における番組中断を防止し得るデータ放送ＴＳ送出装置及びデータ放送ＴＳ送出方法を提供することにある。
【課題を解決するための手段】
【０００８】
この発明は、上記目的を達成するために、以下のように構成される。  
互いに送出レートが異なり受信機側でデータ放送番組を受信させるために必要な制御セクションを含むパケット構造となる複数番組のデータ放送ＴＳ（Transport Stream）を、各番組の送出レートに関する編成情報及び番組切替信号に応じて選択的に切り替えて送出するデータ放送ＴＳ送出装置において、複数番組のデータ放送ＴＳを取り込み、番組切替信号が入力された時点で番組切替を行う切替手段と、編成情報及び番組切替信号を受信したとき、当該編成情報から送出対象となる各番組の送出レートごとに制御セクションパケットの送出に要する時間を停止時間として求める演算手段と、番組切替信号を受信した場合に、演算手段により求められた停止時間経過後に、番組切替信号を切替手段に転送して番組切替を実行させる制御手段とを備えるようにしたものである。なお、演算手段は、データ放送ＴＳがＭＰＥＧ２に準拠されているとき、当該編成情報から各番組の送出レートごとにＤＳＭ−ＣＣセクションパケットの送出に要する時間を停止時間として求めることを特徴とする。
【０００９】
この構成によれば、データ放送ＴＳの番組切替の実行に先立ち、受信した編成情報から送出対象となる各番組の送出レートごとにＤＳＭ−ＣＣセクションパケットの送出に要する時間を停止時間として求め、番組切替信号受信時から上記求められた停止時間経過後に、番組切替信号に応じて番組切替を実行するようにしている。
【００１０】
従って、ＤＳＭ−ＣＣセクション１パケットを保障しつつ、低レートな番組時に発生する次の番組へのＤＳＭ−ＣＣセクションの時間的食い込みを防止することが可能となる。
【発明の効果】
【００１１】
以上詳述したようにこの発明によれば、送出レートが異なるデータ放送番組を切り替える場合であっても、受信機側における番組中断を防止し得るデータ放送ＴＳ送出装置及びデータ放送ＴＳ送出方法を提供することができる。
【発明を実施するための最良の形態】
【００１２】
以下、この発明の実施形態について図面を参照して詳細に説明する。  
図１は、この発明に係わるデータ放送ＴＳ送出装置の一実施形態を示すブロック構成図である。
【００１３】
図１において、図中符号１１は切替器で、番組切替を行なうものである。なお、ここでは説明を簡単にするため、切替器１１の入力チャンネル（系統）数を２チャンネルとし、出力チャンネル数を１チャンネルとする。ここでは、ＭＰＥＧ２（Moving Picture Experts Group 2）で規定されているデータ放送ＴＳを取り扱うものとする。
【００１４】
さらに、この実施形態では、番組制御受信部１２と、番組情報受信部１３と、１パケット保障算出部１４と、ＤＳＭ−ＣＣセクション保障部１５と、ＤＳＭ−ＣＣセクション送出制御部１６とを備えている。
【００１５】
番組制御受信部１２は、上位の装置から番組制御信号を受信し、制御受信後、ＤＳＭ−ＣＣセクション送出制御部１６に番組開始情報を転送する。
【００１６】
番組情報受信部１３は、番組が開始される前に送出対象となる各番組の送出レートを含む編成情報受信後、１パケット保障算出部１４に各番組の送出レートを直ちに転送する。
【００１７】
１パケット保障算出部１４は、送出レートからＤＳＭ−ＣＣセクションが１パケット保障できる送出時間の計算を行ない、この計算結果をＤＳＭ−ＣＣセクション保障部１５に出力する。
【００１８】
ＤＳＭ−ＣＣセクション保障部１５は、入力された計算結果から現在送出している番組の停止時間、つまり次の番組に影響の無い実停止時間との算出を行い、ＤＳＭ−ＣＣセクション送出制御部１６へ番組切替タイミング信号を伝送する。
【００１９】
ＤＳＭ−ＣＣセクション送出制御部１６は、番組切替タイミング信号を受信し、次の番組の送出へと切り替えるように上記切替器１１を切替制御する。
【００２０】
次に、上記構成における運用について説明する。図２は、データ放送ＴＳ送出装置の処理動作を示すフローチャートである。  
番組送出時においては、上位の装置から番組制御信号を番組制御受信部１２が受信する。このとき、番組情報受信部１３は、上位の装置から編成情報を受信し（ステップＳＴ２ａ）、この編成情報を１パケット保障算出部１４に転送する。１パケット保障算出部１４は、上記編成情報に含まれる各番組の送出レートからＤＳＭ−ＣＣセクションが１パケット保障できる送出時間の計算を行ない（ステップＳＴ２ｂ）、この計算結果をＤＳＭ−ＣＣセクション保障部１５に出力する。
【００２１】
（開始Ｘ秒前)  
番組制御受信部１２は制御受信後、ＤＳＭ−ＣＣセクション送出制御部１６に番組開始情報を転送する。そして、ＤＳＭ−ＣＣセクション送出制御部１６は、ステップＳＴ２ｃからステップＳＴ２ｄに移行してここでＤＳＭ−ＣＣセクション保障部１５に対し番組開始の旨を通知する。
【００２２】
ＤＳＭ−ＣＣセクション保障部１５は通知受信後、先の１パケット保障算出部１４から算出した時間から現在送出している番組の停止時間、つまり次の番組に影響の無い実停止時間との算出を行い、これら停止時間経過後にＤＳＭ−ＣＣセクション送出制御部１６へ番組切替タイミング信号を伝送する。
【００２３】
以後、ＤＳＭ−ＣＣセクション送出制御部１６は番組切替タイミング信号を受信し、次の番組の送出へと上記切替器１１を切替制御する（ステップＳＴ２ｅ）。
【００２４】
なお、上記停止時間の算出方法について、以下に示す。
【００２５】
４０９６ｂｙｔｅ（ＤＳＭ−ＣＣセクションの最大量）*８bit／番組送出レート（ｂｐｓ）
以上のように上記実施形態では、切替器１１によるデータ放送ＴＳの番組切替の実行に先立ち、番組情報受信部１３で受信した編成情報から１パケット保障算出部１４及びＤＳＭ−ＣＣセクション保障部１５にて送出対象となる各番組の送出レートごとにＤＳＭ−ＣＣセクションパケットの送出に要する時間を停止時間として求め、ＤＳＭ−ＣＣセクション送出制御部１６にて番組切替タイミング信号を受信した時点から上記求められた停止時間経過後に、次の番組に切り替えるように切替器１１を制御するようにしている。
【００２６】
従って、ＤＳＭ−ＣＣセクション１パケットを保障しつつ、低レートな番組時に発生する次の番組へのＤＳＭ−ＣＣセクションの時間的食い込みを防止することができる。
【００２７】
なお、この発明は上記実施形態に限定されるものではなく、種々の変更が可能である。例えば、上記実施形態では、ＴＳ系統を２系統としたが、さらに系統数を増加しても同様に実施可能である。
【００２８】
その他、データ放送ＴＳ送出装置の構成、ＭＰＥＧ２以外のデータ放送ＴＳを取り扱う例等においても、この発明の要旨を逸脱しない範囲で種々変形して実施可能である。
【図面の簡単な説明】
【００２９】
【図１】この発明に係わるデータ放送ＴＳ送出装置の一実施形態を示すブロック構成図。
【図２】同実施形態におけるデータ放送ＴＳ送出装置の処理動作を示すフローチャート。
【符号の説明】
【００３０】
１１…切替器、１２…番組制御受信部、１３…番組情報受信部、１４…１パケット保障算出部、１５…ＤＳＭ−ＣＣセクション保障部、１６…ＤＳＭ−ＣＣセクション送出制御部。
【図１】
2008078913.tif 000003
【図２】
2008078913.tif 000004